(57)【特許請求の範囲】
【請求項１】
ロアレールとそのロアレールの長手方向に沿って移動可能なアッパーレールとのいずれか一方に設けられ厚さ方向を前記一方の長手方向に沿わせるようにして１列状に並列されたロック爪部を有する複数のロック片と、前記いずれか他方に設けられ前記ロック片夫々のロック爪部を受容する複数のロック片受容部とを備えたシートスライドロック装置であって、
前記ロック片は、前記ロック爪部の幅が異なる複数の種類のものから構成され、
前記ロック片受容部は、前記ロック爪部夫々の幅に対応するように形成された幅の異なる複数の種類のものから構成され、
前記ロック片は、前記ロック爪部の幅が狭いものから順次、前記一方の長手方向に沿って配設され、
前記ロック片受容部は、前記ロック爪部の幅が狭いものから順次並んだロック片に対応して前記他方の長手方向の一端側から他端側に、又は、他端側から一端側に、幅の狭いもの順に並ぶようにして、最も幅が狭い最幅狭ロック片受容部に、当該最幅狭ロック片受容部と対応したロック爪部を有するロック片が入り込む際に同時にその最幅狭ロック片受容部に隣接したロック片受容部に当該ロック片受容部と対応したロック爪部を有するロック片が入り込み得るように配設されていることを特徴とするシートスライドロック装置。
【請求項２】
前記ロック片は、幅狭ロック爪部を有する第１ロック片と、前記幅狭ロック爪部よりも幅広な幅広ロック爪部を有する第３ロック片と、前記第１ロック片と第３ロック片との間に配設され前記幅狭ロック爪部よりも幅広で、且つ、前記幅広ロック爪部よりも幅狭な中間幅ロック爪部を有する第２ロック片とを備え、
前記ロック片受容部は、前記幅狭ロック爪部に対応し前記幅狭ロック爪部を受容可能、且つ、前記中間幅ロック爪部及び幅広ロック爪部を受容不能な第１ロック片受容部と、前記中間幅ロック爪部に対応し前記中間幅ロック爪部及び幅狭ロック爪部を受容可能、且つ幅広ロック爪部を受容不能な第２ロック片受容部と、前記幅広ロック爪部に対応し前記幅広ロック爪部、幅狭ロック爪部及び中間幅ロック爪部を受容可能な第３ロック片受容部とを備え、
前記第１ロック片受容部は、第２ロック片受容部及び第３ロック片受容部よりも前記他方の長手方向の一端側又は他端側になるように配設され、
前記第２ロック片受容部は、前記他方の長手方向における前記第１ロック片受容部と第３ロック片受容部との間に配設されていることを特徴とする請求項１記載のシートスライドロック装置。
【請求項３】
前記第２ロック片受容部には、前記幅狭ロック爪部、中間幅ロック爪部及び幅広ロック爪部を受容可能に、当該第２ロック片受容部の幅よりも広く形成された連通孔が設けられ、
前記連通孔は、前記第２ロック片受容部と連通するようにして前記第２ロック片受容部と第３ロック片受容部との間に配設されていることを特徴とする請求項２記載のシートスライドロック装置。
【発明の詳細な説明】
【技術分野】
【０００１】
本発明は、自動車等のシートスライドロック装置に関するものである。
【背景技術】
【０００２】
従来から、シートスライドロック装置は知られており、例えば特許文献１に開示されたものがある。この特許文献１に開示された装置は、床側に固定されるロアレールに、その長手方向に沿う前後方向に複数個のロック片受容部（凹所）を並設するとともに、シートに固定状に取り付けられたアッパーレールに、ロック片受容部と嵌合して受容するロック
爪を有するロック片を１つ、設けたものである。そして、ロック片をロック片受容部の適宜な１つに入りこませることによりロック状態にして、シートを、前後位置に応じて固定できるようにしたものである。
【先行技術文献】
【特許文献】
【０００３】
【特許文献１】実公昭４７−３９７６４号公報
【発明の概要】
【発明が解決しようとする課題】
【０００４】
しかしながら、上記特許文献１に記載のもののように、一つのロック片を１つのロック片受容部に嵌合させてロックさせたのでは、シートに大きな力がかかったような場合に、その力がロック片とロック片受容部の内壁との当接部の１箇所にかかり、ロック片が折れ損し或いはロック片受容部が破損するおそれがある。
【０００５】
そこで、このような課題を解決するものとして、例えばシート側に、前後方向に複数個のロック片を並設し、複数個のロック片を、同時に複数のロック片受容部に入れるようにしたものも実施されている。
【０００６】
ところが、例えばウォークイン機構を備えたものとした場合、例えば図１４に示すようにシートを前方側（図示のＸ１方向）に移動させてロック片１００ａ〜１００ｅにおける最後方側の最後方ロック片１００ａがロアレール１０１に設けられたロック片受容部１０２における最前方側のロック片受容部１０２ａに入り込むと、最後方ロック片１００ａの１つだけが最前方側のロック片受容部１０２ａのみに入り込むことになる。このような場合には、ロック片１００ａとロック片受容部１０２ａの内壁との当接部の１箇所にシートからの力がかかることになってしまう。その結果、上述の一つのロック片を設けたものと同様に、シートからかかる力によってロック片が折損し、或いは、ロック片受容部が破損するおそれがある。
【０００７】
本発明は、常時、複数のロック片が複数のロック片受容部に同時に入り込むことができるようにしてロック片あるいはロック片受容部が破損するおそれの少ないシートスライドロック装置の提供を目的とする。
【課題を解決するための手段】
【０００８】
上記課題を解決するため、本発明は、ロアレールとそのロアレールの長手方向に沿って移動可能なアッパーレールとのいずれか一方に設けられ厚さ方向を前記一方の長手方向に沿わせるようにして１列状に並列されたロック爪部を有する複数のロック片と、前記いずれか他方に設けられ前記ロック片夫々のロック爪部を受容する複数のロック片受容部とを備えたシートスライドロック装置であって、前記ロック片は、前記ロック爪部の幅が異なる複数の種類のものから構成され、前記ロック片受容部は、前記ロック爪部夫々の幅に対応するように形成された幅の異なる複数の種類のものから構成され、前記ロック片は、前記ロック爪部の幅が狭いものから順次、前記一方の長手方向に沿って配設され、前記ロック片受容部は、前記ロック爪部の幅が狭いものから順次並んだロック片に対応して前記他方の長手方向の一端側から他端側に、又は、他端側から一端側に、幅の狭いもの順に並ぶようにして、最も幅が狭い最幅狭ロック片受容部に、当該最幅狭ロック片受容部と対応したロック爪部を有するロック片が入り込む際に同時にその最幅狭ロック片受容部に隣接したロック片受容部に当該ロック片受容部と対応したロック爪部を有するロック片が入り込み得るように配設されていることを特徴とするシートスライドロック装置を提供する。
【００１０】
このように構成された本発明によれば、全部のロック片がロック片受容部から外れてロック解除した状態で、例えば最後方側に配設した最も幅の広いロック爪部を有するロック片が最前方側に配設した最も幅の狭い最幅狭ロック片受容部よりも前方側になるまで、シートを前方側に移動させた後、シートを後方側に移動させると、最後方側の最も幅の広いロック片が最前方側の最幅狭ロック片受容部に入り込まずに通過する。そして、最幅狭ロック片受容部と対応した幅のロック爪部を有するロック片が最幅狭ロック片受容部に合致すると入り込む。また、それと略同時にその最幅狭ロック片受容部に隣接するロック片受容部に、そのロック片受容部に対応した幅のロック爪部を有するロック片を入り込ませることができる。
【００１１】
これにより、最前方側の最幅狭ロック片受容部にロック片が入り込んでロックする場合には、少なくともその最前方側の最幅狭ロック片受容部に隣接したロック片受容部にも、そのロック片受容部に対応したロック片が入り込んでロックした状態にでき、従来のように最前方側のロック片受容部にのみ、いずれかのロック片がロックすることのないものにできる。
【００１２】
従って、ロック状態において、シートからかかる力によってロック片或いはロック片受容部が破損するおそれの少ないものにでき、常時十分な強度を有する状態にできる。
【００１３】
他の一態様では、上述のシートスライドロック装置において、前記ロック片は、幅狭ロック爪部を有する第１ロック片と、前記幅狭ロック爪部よりも幅広な幅広ロック爪部を有する第３ロック片と、前記第１ロック片と第３ロック片との間に配設され前記幅狭ロック爪部よりも幅広で、且つ、前記幅広ロック爪部よりも幅狭な中間幅ロック爪部を有する第２ロック片とを備え、前記ロック片受容部は、前記幅狭ロック爪部に対応し前記幅狭ロック爪部を受容可能、且つ、前記中間幅ロック爪部及び幅広ロック爪部を受容不能な第１ロック片受容部と、前記中間幅ロック爪部に対応し前記中間幅ロック爪部及び幅狭ロック爪部を受容可能、且つ幅広ロック爪部を受容不能な第２ロック片受容部と、前記幅広ロック爪部に対応し前記幅広ロック爪部、幅狭ロック爪部及び中間幅ロック爪部を受容可能な第３ロック片受容部とを備え、前記第１ロック片受容部は、第２ロック片受容部及び第３ロック片受容部よりも前記他方の長手方向の一端側又は他端側になるように配設され、前記第２ロック片受容部は、前記他方の長手方向における前記第１ロック片受容部と第３ロック片受容部との間に配設されていることを特徴とする。
【００１４】
これによれば、ロック解除した状態で、例えば最後方側に配設した第３ロック片が最前方側に配設した第１ロック片受容部よりも前方側になるまでシートを前方側に移動させた後、シートを後方側に移動させると、第３ロック片が最前方側の第１ロック片受容部に入り込まずに通過し、そして、その第１ロック片受容部に第３ロック片よりも前方側の第１ロック片が合致すると入り込む。又、略同時にその第１ロック片受容部に隣接する第２ロック片受容部に第２ロック片が合致して入り込む。
【００１５】
これにより、第１ロック片受容部に第１ロック片が入り込んでロックする場合には、第１ロック片受容部に隣接した第２ロック片受容部にも第２ロック片を入り込ませてロック状態にできる。
【００１６】
従って、ロック状態において、ロック片が折損し、或いは、ロック片受容部が破損するおそれの少ないものにでき、常時十分な強度を有する状態にできる。
【００１７】
他の一態様では、上述のシートスライドロック装置において、前記第２ロック片受容部には、前記幅狭ロック爪部、中間幅ロック爪部及び幅広ロック爪部を受容可能に、当該第２ロック片受容部の幅よりも広く形成された連通孔が設けられ、前記連通孔は、前記第２ロック片受容部と連通するようにして前記第２ロック片受容部と第３ロック片受容部との間に配設されていることを特徴とする。
【００１８】
これによれば、第１ロック片受容部に第１ロック片を入り込ませると、略同時に第２ロック片受容部に第２ロック片を入り込ませるとともに、連通孔に第３ロック片を入り込ませることができる。これにより、ロック状態において、より強度を高めた状態にできる。
【発明の効果】
【００１９】
本発明は、常時、複数のロック片が複数のロック片受容部に同時に入り込むことができるようにしてロック片あるいはロック片受容部が破損するおそれの少ないシートスライドロック装置を提供し得たものである。
【図面の簡単な説明】
【００２０】
【図１】本発明の一実施形態の自動車用シートスライドロック装置の右部の斜視図である。
【図２】図１の自動車用シートスライドロック装置の平面図である。
【図３】図１の自動車用シートスライドロック装置の正面図である。
【図４】図１の自動車用シートスライドロック装置の底面図である。
【図５】ロアレールの要部の拡大底面図である。
【図６】（ａ）は、第１ロック片の正面図、（ｂ）は、第２ロック片の正面図、（ｃ）は、第３ロック片の正面図である。
【図７】図２のＶＩＩ−ＶＩＩ線拡大断面図である。
【図８】最前方側に移動したシートを後方側に移動する際におけるロック片とロック片受容孔とを示す断面図である。
【図９】図８のＩＸ−ＩＸ線断面図である。
【図１０】図９のＸ−Ｘ線断面図である。
【図１１】ロック片受容孔の他の実施形態の説明図である。
【図１２】ロック片受容孔の更に他の実施形態の説明図である。
【図１３】図１２のＸＩＩＩ−ＸＩＩＩ線断面図である。
【図１４】従来例の断面説明図である。
【発明を実施するための形態】
【００２１】
以下、本発明を実施するための最良の形態について、図面を参照しながら詳細に説明する。図１は、本発明の一実施形態の自動車用シートスライドロック装置の右部の斜視図、図２は、図１の自動車用シートスライドロック装置の平面図、図３は、図１の自動車用シートスライドロック装置の正面図、図４は、図１の自動車用シートスライドロック装置の底面図である。尚、図のＸ１方向を前方側、Ｘ２方向を後方側とし、又、図のＹ１方向を左方側、Ｙ２方向を右方側として説明する。
【００２２】
本発明のシートスライドロック装置１０は、アッパーレール２がロアレール１に対してスライドするのを適宜ロック・ロック解除するもので、この実施形態では、自動車用のものとされている。
【００２３】
この実施形態の自動車用のシートスライドロック装置１０は、図１〜図４に示すように、シート、例えば運転者用シートの右下方側に配設される右スライド部１０ａと、運転者用シートの左下方側に配設される図示しない左スライド部と、複数のロック片３ａ〜３ｃ（図７参照）と、ロック解除操作部材４０〜４２とを備えている。
【００２４】
これらの右スライド部１０ａと左スライド部とは、左右対称をなすように配設される。以下、右スライド部１０ａについて説明し、左スライド部の説明を省略する。
【００２５】
右スライド部１０ａは、図１〜図７に示すように、ロアレール１と、アッパーレール２とを備えている。
【００２６】
ロアレール１は、長尺状のものから構成されており、その長手方向を自動車の前後方向に沿わすようにして自動車のフロアに固定される。このロアレール１は、図３に示すように互いに左右方向に距離を持って対向配置された左右一対の両側壁１１と、それらの両側壁の下端側（基端側）を連結した底壁１３とを備えている。
【００２７】
又、底壁１３には、図４、図５に示すように、ロック片３ａ〜３ｃを入り込ませるための複数のロック片受容部としてのロック片受容孔１４〜１６ｂが設けられている。また、この実施形態のロック片受容孔は、１つの第１ロック片受容孔１４と、１つの第２ロック片受容孔１５と、複数の第３ロック片受容孔１６ａ、１６ｂとの左右の幅（長手方向と直交する方向の長さ）の異なる３種類のものから構成されている。
【００２８】
これらの第１ロック片受容孔１４〜第３ロック片受容孔１６ａ、１６ｂは、この実施形態では、底壁１３の上面から下面に貫通するようにあけられた孔から構成されている。
【００２９】
第３ロック片受容孔は、第３短ロック片受容孔１６ａと、第３長ロック片受容孔１６ｂとから構成されている。
【００３０】
第３短ロック片受容孔１６ａは、図５に示すように、その前後の長さＬ４が上記第１ロック片受容孔１４のその長さＬ１と同じに設定され、その幅Ｗ４が上記第１ロック片受容孔１４の幅Ｗ１よりも広く設定されている。
【００３１】
第３長ロック片受容孔１６ｂは、その前後の長さＬ５が上記第３短ロック片受容孔１６ａのその長さＬ４の２倍に設定され、又、幅Ｗ５（長手方向に直交する方向の長さ）が上記第３短ロック片受容孔１６ａの幅Ｗ４と同じに設定されている。
【００３２】
そして、第３短ロック片受容孔１６ａと第３長ロック片受容孔１６ｂとは、図４に示すようにロアレール１の後端側（他端側）から前方側にかけて長手方向に沿って交互に配設されている。
【００３３】
又、第３短ロック片受容孔１６ａと第３長ロック片受容孔１６ｂとの長手方向の距離Ｌ６は、第３短ロック片受容孔１６ａの長さＬ４と同じに設定されている。
【００３４】
第１ロック片受容孔１４は、全部のロック片受容孔１４〜１６ｂの内で、最も幅の狭い最幅狭ロック片受容孔をなすもので、この実施形態では、第２ロック片受容孔１５及び第３ロック片受容孔１６ａ、１６ｂよりも前方側になるようにしてロアレール１の前端側（一端側）に配設されており、第１ロック片受容孔１４は、全部のロック片受容孔１４〜１６ｂの内で、最前方に配設されている。
【００３５】
第２ロック片受容孔１５は、その幅Ｗ２が上記第１ロック片受容孔１４の幅Ｗ１よりも広く、且つ、第３短ロック片受容孔１６ａの幅Ｗ４よりも狭くなるように設定されている。
【００３６】
又、この実施形態では、第２ロック片受容孔１５の後方側に、第２ロック片受容孔１５と連通するように形成された連通孔１７が設けられている。この連通孔１７は、その前後の長さＬ３及び幅Ｗ３が上記第３短ロック片受容孔１６ａの長さＬ４、幅Ｗ４夫々と同じに設定されている。従って、この連通孔１７と第２ロック片受容孔１５との全体としての前後の長さは、第３長ロック片受容孔１６ｂの長さＬ５と同じである。
【００３７】
そして、この連通孔１７と第２ロック片受容孔１５とは、第１ロック片受容孔１４と第３短ロック片受容孔１６ａとの間に、第２ロック片受容孔１５と第１ロック片受容孔１４との距離Ｌ７及び連通孔１７と第３短ロック片受容孔１６ａとの距離Ｌ８が上記距離Ｌ６と同じだけ隔てるようにして配設されている。
【００３８】
アッパーレール２は、図１〜図４に示すように、ロアレール１とほぼ同じ長さの長尺状のものから構成されており、自動車のシート（図示せず）に固定的に取り付けられてロアレール１の長手方向に沿ってスライド可能に配置される。そして、アッパーレール２がロアレール１をスライドすることにより、自動車のシートが前後方向に移動可能とされる。
【００３９】
このアッパーレール２は、図３に示すように左右方向に距離を持って対向配置された左右の両側壁２１と、それらの上端側（基端側）を連結した上壁２３とを備えている。
【００４０】
尚、この実施形態では、左右の両側壁２１は、上壁２３の左右両端から下方に折り曲げ成形されているとともに、その下先端側から外側上方に折り曲げられた折り返し片２６を備えたものとされている。
【００４１】
また、上壁２３には、図７に示すようにロック片３ａ〜３ｃを上下方向移動可能に通したロック片挿通孔２３ａが設けられている。
【００４２】
次に、ロック片３ａ〜３ｃについて説明する。この実施形態では、同一構成を採る２つの第１ロック片３ａと、同一構成を採る２つの第２ロック片３ｂと、１つの第３ロック片３ｃとの合計５つのロック片から構成されている。
【００４３】
第１ロック片３ａは、夫々、図６（ａ）に示すように、下部側に、ロアレール１のロック片受容孔１４〜１６ｂを出入りする幅狭ロック爪部３１ａを備え、上部側に、後述のロック解除操作部材のロック片操作部材４１に押し上げ操作される被操作部３２を備えている。
【００４４】
幅狭ロック爪部３１ａは、上記第１ロック片受容孔１４の幅に対応して形成されており、その幅Ｗ６が上記第１ロック片受容孔１４の幅Ｗ１と略同じで、又、図７に示すようにその厚さｔ１が上記第１ロック片受容孔１４の前後の長さＬ１と略同じとされている。
【００４５】
これにより、上記第１ロック片受容孔１４に入り込み得るようになっているとともに、第２ロック片受容孔１５、連通孔１７、第３ロック片受容孔の第３短ロック片受容孔１６ａ及び第３長ロック片受容孔１６ｂの夫々に入り込み得るようになっている。
【００４６】
第２ロック片３ｂは、夫々、図６（ｂ）に示すように、下部側に、ロアレール１のロック片受容孔１５〜１６ｂを出入りする中間幅ロック爪部３１ｂを備えている。
【００４７】
この中間幅ロック爪部３１ｂは、上記第２ロック片受容孔１５の幅に対応して形成されており、その幅Ｗ７が上記第２ロック片受容孔１５の幅Ｗ２と略同じとされている。
【００４８】
従って、この中間幅ロック爪部３１ｂは、上記第２ロック片受容孔１５、連通孔１７、第３ロック片受容孔の第３短ロック片受容孔１６ａ及び第３長ロック片受容孔１６ｂの夫々に入り込み得るようになっている。第２ロック片３ｂのその他は、第１ロック片３ａと同じ構成を採っている。
【００４９】
第３ロック片３ｃは、夫々、図６（ｃ）に示すように、下部側に、ロアレール１のロック片受容孔の第３短ロック片受容孔１６ａ及び第３長ロック片受容孔１６ｂを出入りする幅広ロック爪部３１ｃを備えている。
【００５０】
この幅広ロック爪部３１ｃは、上記第３ロック片受容孔１６ａ、１６ｂの幅に対応して形成されており、その幅Ｗ８が上記第３ロック片受容孔１６ａ、１６ｂの幅Ｗ４、Ｗ５と同じとされている。
【００５１】
従って、この幅広ロック爪部３１ｃは、上記第３ロック片受容孔の第３短ロック片受容孔１６ａ及び第３長ロック片受容孔１６ｂの夫々に入り込み得るようになっている。幅広ロック爪部３１ｃのその他は、第１ロック片３ａと同じ構成を採っている。
【００５２】
このように構成されたロック片３ａ〜３ｃは、図７に示すようにその厚さ方向をアッパーレール２の長手方向に沿って、ロック爪部３１ａ、３１ｂ、３１ｃの幅が最も狭い第１ロック片３ａから順次、後方側に並べられるように配設され、保持部材７を介してアッパーレール２に上下方向移動可能に保持されている。
【００５３】
詳しくは、第１ロック片３ａ〜第３ロック片３ｃは、互いにほとんど間隔を隔てないで前後方向に１列に並べられるようにして、保持部材７に上下方向移動可能に保持されている。又、保持部材７に保持された第１ロック片３ａ〜第３ロック片３ｃは、夫々、図３、図９に示すようにロック片付勢部材としてのコイルスプリング３３によって保持部材７に対して下方側に付勢されている。
【００５４】
そして、このようにして第１ロック片３ａ〜第３ロック片３ｃを保持した保持部材７は、アッパーレール２に固定的に取り付けられている。又、この状態で、第１ロック片３ａ〜第３ロック片３ｃは、夫々、アッパーレール２のロック片挿通孔２３ａに通されて被操作部３２がアッパーレール２の上壁２３の上方側に突出されているとともに、ロック爪部３１ａ〜３１ｃがロアレール１のロック片受容孔１４〜１５ｂに出入り可能とされている。
【００５５】
次に、ロック解除操作部材４０、４１、４２について説明する。ロック解除操作部材４０、４１、４２は、ロック片３ａ〜３ｃをロック解除操作するためのもので、図１〜図５に示すように、ロック片３ａ〜３ｃを上記コイルスプリング３３の付勢力に抗して押圧して押し上げるロック片操作部材４１と、ロック片操作部材４１を付勢する操作部材用付勢バネ４０と、ロック片操作部材４１を可動操作する操作体４２とを備えている。
【００５６】
ロック片操作部材４１は、図９に示すようにその右端側（一端側、図の左端側）に、ロック片３ａ〜３ｃの被操作部３２を押圧操作するロック片押圧部４１ａを備えている。
【００５７】
このロック片押圧部４１ａは、図２に示すようにその前後方向の長さが５つのロック片３ａ〜３ｃの全体の前後方向の長さよりもやや長く設定されており、５つのロック片３ａ〜３ｃの被操作部３２を同時に押圧できるようになっている。
【００５８】
又、ロック片操作部材４１は、その左端側（図で右端側）に、操作体４２に押圧操作される被押圧操作部４１ｂを備えている。このロック片操作部材４１は、操作部材用支持部材２０を介してアッパーレール２の上壁２３に回動自在に取り付けられている。
【００５９】
詳しくは、アッパーレール２の上壁２３には、ロック片３ａ〜３ｃを上方側から覆うようにして配設された操作部材用支持部材２０が固定的に設けられている。そして、ロック片操作部材４１は、図９に示すように、ロック片押圧部４１ａと被押圧操作部４１ｂ及び係止片４１ｃとの間に設けられた孔からなる軸支部４１ｄが操作部材用支持部材２０に軸支されるようにして、アッパーレール２の上壁２３に回動自在に取り付けられ、これにより、ロック片押圧部４１ａ、被押圧操作部４１ｂが夫々、上下方向に回動できるようになっている。
【００６０】
そして、被押圧操作部４１ｂが下方側に押し下げられるとロック片押圧部４１ａが上方側に回動するようになっている。又、この上方側への回動に際してロック片押圧部４１ａがロック片３ａ〜３ｅ夫々の被操作部３２を押圧してロック片３ａ〜３ｃ夫々を上方に押し上げる。
【００６１】
操作部材用付勢バネ４０は、一端側が操作部材用支持部材２０に係止され、他端側がロック片押圧部４１における軸支部４１ｄよりも被押圧操作部４１ｂ側の部分に取り付けられている。
【００６２】
これにより、操作部材用付勢バネ４０の付勢力によって、ロック片操作部材４１は、図９の反時計方向に付勢され、被押圧操作部４１ｂが常時上方側に、ロック片押圧部４１ａが常時下方側に、夫々、付勢されている。
【００６３】
操作体４２は、この実施形態では、図１、図２に示すように、丸棒体をほぼＵ字状に折り曲げ成形したものから構成されている（図１、図２では、左半分だけがＬ字状に表されている）。
【００６４】
そして、この操作体４２は、その前端に操作把持部４２ａを備え、操作体４２の左右の後端に、夫々、右スライド部１０ａ、左スライド部のロック片操作部材４１の被押圧操作部４１ｂを押圧する押圧部４２ｂを備えている。
【００６５】
操作把持部４２ａは、図示しないシートの前端側の下方側に配置されるようになっており、シートに座った着座者が座った状態で操作把持部４２ａを把持操作できるようになっている。また、押圧部４２ｂは、図１、図９に示すように被押圧操作部４１ｂの上方側に、略当接状態に配置されている。
【００６６】
そして、この操作体４２は、この実施形態では、軸４３を介して回動自在に配置されている。詳しくは、シートに軸４３が固定されている。そして、操作体４２は、操作把持部４２ａと押圧部４２ｂとの中間部がその軸４３を支点に回動できるようになっている。
【００６７】
これにより、着座者によって操作把持部４２ａが上方側に押し上げ操作されると、押圧部４２ｂが下方側に移動して被押圧操作部４１ｂを下方側に押圧するようになっている。
【００６８】
尚、この実施形態の操作体４２は、図示しない操作体用付勢バネによって操作把持部４２ａが下方側に付勢されるようになっており、操作把持部４２ａが手で上方側に引き上げられた後、その手が放されると、その操作体用付勢バネの付勢力によって、操作把持部４２ａが元の図９の状態にまで戻されるようになっている。
【００６９】
次に、この実施形態の自動用シートスライドロック装置の動作について説明する。尚
、説明の都合上、第１ロック片３ａが第１ロック片受容孔１４に、第２ロック片３ｂが第２ロック片受容孔１５に、第３ロック片３ｃが連通孔１７に、夫々、入った図７に示すロック状態から説明する。
【００７０】
ロック状態から、着座者によって、操作体４２の操作把持部４２ａが引き上げ操作されると、図３に示すように押圧部４２ｂによって、被押圧操作部４１ｂが下方側に押圧される。
【００７１】
これにより、ロック片押圧部４１ａが全部のロック片３ａ〜３ｃの被操作部３２と当接して全てのロック片３ａ〜３ｃをコイルスプリング３３の付勢力に抗して上方に押し上げる。この状態で、例えば図８に示すように全てのロック片３ａ〜３ｃのロック爪部３１ａ〜３１ｃがロック片受容孔１４〜１６ｂから出てロック片３ａ〜３ｃの下端がロアレール１の底壁１３から上がった状態になり、ロック解除状態になる。
【００７２】
そして、この状態で、アッパーレール２は、ロアレール１に対してスライド可能状態になり、例えばシートが着座者によって前方側に押圧されるとアッパーレール２がロアレール１に対して前方側にスライドしてシートが前方側に移動する。
【００７３】
そして、図示しないが、第３ロック片３ｃが第１ロック片受容孔１４の前方位置に来るまでシートが前方側に移動すると、その位置で、ロック片３ａ〜３ｃが入り込むためのロック片受容孔が配設されていないため、ロック解除状態を維持する。
【００７４】
一方、この状態からシートを後方側に戻す場合は、シートを後方側に押圧する。これにより、シートを後方側に移動させることができる。そして、第３ロック片３ｃが第１ロック片受容孔１４の上方位置にきても、第３ロック片３ｃのロック爪部３１ｃの幅Ｗ８が第１ロック片受容孔１４の幅Ｗ１よりも広いため、第１ロック片受容孔１４に入り込むことなくその上方位置を通過する。
【００７５】
更に、シートが後方側に移動して、第３ロック片３ｃが第２ロック片受容孔１５の上方位置にくるとともに、第２ロック片３ｂが第１ロック片受容孔１４の上方位置にきた場合、この場合も、図１０に示すように第３ロック片３ｃのロック爪部３１ｃの幅Ｗ８が第２ロック片受容孔１５の幅Ｗ２よりも広く、又、図９に示すように第２ロック片３ｂのロック爪部３１ｂ幅Ｗ７が第１ロック片受容孔１４の幅Ｗ１よりも広いため、第３ロック片３ｃ及び第２ロック片３ｂは夫々、それらに入り込むことなくその上方位置を通過する。
【００７６】
更に、シートが後方側に移動して、図７に示すように、第３ロック片３ｃが連通孔１７に合致すると第３ロック片３ｃが連通孔１７に入り込む。また、それと同時に、第２ロック片３ｂが第２ロック片受容孔１５に合致して第２ロック片受容孔１５に入り込むとともに、第１ロック片３ａが第１ロック片受容孔１４に合致して第１ロック片受容孔１４に入り込んでロック状態になる。
【００７７】
従って、第３ロック片３ｃが第１ロック片受容孔１４の前方位置にきた状態からのシートの後方側への移動に際し、常時３つのロック片３ａ〜３ｃがロック片受容孔１４〜１６ｂのいずれかに入り込んでロック状態にでき、従来のように、１つのロック片だけがロック片受容孔に入り込んでロック状態になるようなことを防止できる。
【００７８】
よって、１つのロック片だけがロック片受容孔に入り込んでロック状態した場合のようにロック片が折損し、或いはロック片受容孔が破壊するようなことを確実に防止できる。
【００７９】
尚、上記実施形態では、第２ロック片受容孔１５に連通孔１７を設けたものとしているが、この形態のものに限らず、第２ロック片受容孔１５に連通孔１７を設けないものとしてもよく、適宜変更できる。
【００８０】
例えば図１１に示すように、第２ロック片受容孔１５０を、第１ロック片受容孔１４０よりも幅広に、第３ロック片受容孔１６０よりも幅狭に形成するとともに、第３ロック片受容孔１６０を、全て第１ロック片受容孔１４０と同幅に形成する。このようにしても、第３ロック片３ｃが第１ロック片受容孔１４０の前方位置にきた状態からのシートの後方側への移動に際し、常時２つ以上のロック片３ａ〜３ｃがロック片受容孔１４０〜１６０のいずれかに入り込んでロック状態にできる。
【００８１】
又、上記実施形態では、幅の異なる３種類からなる５つのロック片から構成したが、この形態のものに限らず、幅の異なる２種類のものからなる４つ以上のロック片から構成でき、適宜変更できる。
【００８２】
例えば図１２、図１３に示すように、ロック片を、同一構成の２つの第１ロック片２３０ａと、同一構成の２つの第２ロック片２３０ｂから構成するとともに、ロック片受容孔を、１つの第１ロック片受容孔２１４と、第１ロック片受容孔２１４よりも幅広な複数の第２ロック片受容孔２１５とから構成する。
【００８３】
各第２ロック片２３０ｂは、その中間幅ロック爪部２３１ｂの幅が第１ロック片２３０ａの幅狭ロック爪部２３０ａの幅よりも広く設定されている。
【００８４】
第１ロック片受容孔２１４は、その幅が幅狭ロック爪部２３１ａの幅よりも広く、且つ中間幅ロック爪部２３１ｂの幅よりも狭く設定され、第１ロック片２３０ａの幅狭ロック爪部２３１ａを受容可能且つ第２ロック片２３０ｂの中間幅ロック爪部２３１ｂを受容不能になっている。
【００８５】
このようにしても、常時２つ以上のロック片２３０ａ、２３０ｂがロック片受容孔２１４，２１５のいずれかに入り込んだロック状態にできる。
【００８６】
又、上記実施形態では、第１ロック片をアッパーレールの前端側に、第２ロック片を、その第１ロック片の後方側に、第３ロック片を、その第２ロック片の後方側に、夫々設け、それらのロック片の並びに対応させて第１ロック片受容孔を、ロアレールの前端側に、第２ロック片受容孔を、その第１ロック片受容孔の後方側に、第３ロック片受容孔を、その第２ロック片受容孔の後方側に、夫々設けたが、この形態のものに限らず、適宜変更できる。
【００８７】
例えば第１ロック片をアッパーレールの後端側に、第２ロック片を、その第１ロック片の前方側に、第３ロック片を、その第２ロック片の前方側に、夫々設け、それらのロック片の並びに対応させて第１ロック片受容孔を、ロアレールの後端側に、第２ロック片受容孔を、その第１ロック片受容孔の前方側に、第３ロック片受容孔を、その第２ロック片受容孔の前方側に、夫々設ける。
【００８８】
又、上記実施形態では、ロック片受容孔をロアレールに設け、ロック片をアッパーレールに保持させているが、ロック片受容孔をアッパーレールに設け、ロック片をロアレールに保持させるようにしても良く、適宜変更できる。
【符号の説明】
【００８９】
１    ロアレール
２    アッパーレール
３ａ    第１ロック片
３ｂ    第２ロック片
３ｃ    第３ロック片
１４    第１ロック片受容孔（第１ロック片受容部）
１５    第２ロック片受容孔（第２ロック片受容部）
１６ａ    第３短ロック片受容孔（第３ロック片受容部）
１６ｂ    第３長ロック片受容孔（第３ロック片受容部）
１７    連通孔
３１ａ    幅狭ロック爪部
３１ｂ    中間幅ロック爪部
３１ｃ    幅広ロック爪部
【図１】
0005852328.tif 000002
【図２】
0005852328.tif 000003
【図３】
0005852328.tif 000004
【図４】
0005852328.tif 000005
【図５】
0005852328.tif 000006
【図６】
0005852328.tif 000007
【図７】
0005852328.tif 000008
【図８】
0005852328.tif 000009
【図９】
0005852328.tif 000010
【図１０】
0005852328.tif 000011
【図１１】
0005852328.tif 000012
【図１２】
0005852328.tif 000013
【図１３】
0005852328.tif 000014
【図１４】
0005852328.tif 000015